(57)【特許請求の範囲】
【請求項１】
複数の非水系二次電池を備え、
前記非水系二次電池の電池端子と接続対象物の接続端子とが導電性接続部材によって接続されている電源装置において、
前記導電性接続部材は、前記非水系二次電池の内部圧力の上昇によって生じた変形により引張り力を受ける状態に配置され、
前記複数の非水系二次電池の並び方向が前記引張り力の方向となっており、かつ、前記複数の非水系二次電池が第１の側において前記導電性接続部材によって接続され、
前記導電性接続部材には、前記引張り力を受けることにより、前記電池端子と前記接続端子との間にて断線状態となる接続遮断構造部が形成され、
前記導電性接続部材には、前記導電性接続部材が前記断線状態となった場合に、前記接続遮断構造部を覆う絶縁性被覆部材が設けられ、
前記複数の非水系二次電池に対する前記第１の側とは反対の第２の側には、前記複数の非水系二次電池の間隔が広がるのを阻止する移動阻止部材が設けられていることを特徴とする電源装置。
【請求項２】
前記複数の非水系二次電池は、上下方向に並べて配置されていることを特徴とする請求項１に記載の電源装置。
【請求項３】
前記複数の非水系二次電池は、左右方向に並べて配置されていることを特徴とする請求項１に記載の電源装置。
【請求項４】
前記非水系二次電池は、電極群を収容した電池缶を備え、
前記電池缶における前記引張り力の方向と交差する１つの面は、相対的に機械的強度が小さく変形し易い低強度面となっていることを特徴とする請求項１から３のいずれか１項に記載の電源装置。
【請求項５】
前記導電性接続部材は、前記接続遮断構造部として、前記引張り力の方向に分離可能な第１部材と第２部材とを備えていることを特徴とする請求項１から４のいずれか１項に記載の電源装置。
【請求項６】
前記導電性接続部材には、前記接続遮断構造部として、前記引張り力に対する機械的強度が相対的に小さく破断し易くなっている低強度部が形成されていることを特徴とする請求項１から４のいずれか１項に記載の電源装置。
【請求項７】
前記導電性接続部材の一方の端部には、他方の端部よりも前記引張り力により接続対象の端子との接続が外れ易くなっている前記接続遮断構造部が形成されていることを特徴とする請求項１から４のいずれか１項に記載の電源装置。
【発明の詳細な説明】
【技術分野】
【０００１】
本発明はリチウムイオン二次電池等の非水系二次電池を使用した電源装置に関する。
【背景技術】
【０００２】
近年、高エネルギー密度を有し小型軽量化が可能であることから、リチウムイオン二次電池は、携帯電話やノート型パソコン等の携帯型電子機器の電源用電池として用いられている。このリチウムイオン二次電池は、大容量化が可能であることから、電気自動車（ＥＶ）やハイブリッド電気自動車（ＨＥＶ）等のモータ駆動電源や、電力貯蔵用蓄電池としても注目されている。
【０００３】
リチウムイオン二次電池は、電池缶となる外装ケースの内部に正極板と負極板とをセパレータを挟んで対向配置した電極群を収納し、電解液として有機電解液を充填した構成である。また、複数の正極板の正極集電タブに連結される正極集電端子、この正極集電端子と電気的に接続される正極外部端子、複数の負極板の負極集電タブに連結される負極集電端子、およびこの負極集電端子と電気的に接続される負極外部端子を備えている。
【０００４】
上記のようなリチウムイオン二次電池に代表される非水系二次電池では、満充電の状態からさらに充電されて過充電の状態となった場合に、電池内部の発熱によって電解液が気化・膨張することにより電池が膨張してしまうことになる。そこで、このような事態を防止するために、非水系二次電池には、過充電を防止するための構成が求められる。
【０００５】
ここで、多数の非水系二次電池を備えた電源システムでは、一般に、電池の電圧を監視することより、電源システム全体として過充電を防止することができる。しかしながら、このような構成では、各電池の膨張など、電池の機械的な変化に応じて過充電を防止することができない。
【０００６】
一方、特許文献１および２には、電池の膨張に伴う機械的な変化に基づき、電池の過充電を防止するための構成が提案されている。
【０００７】
特許文献１に開示されている二次電池モジュールでは、可撓性を有するラミネートフィルム内に、直列接続された単電池（リチウムイオン二次電池）が複数個（例えば８個）重なり合うように、すなわち積層状態に収容されている。積層状態の単電池群を収容したラミネートフィルムは、アルミニウム合金製のフレームに組み込まれている。また、単電池群の一方側の端面には受圧板が配置され、この受圧板に対する単電池群側とは反対側には、押しゴマ、第１の導電部材および第１の導電部材に当接された第２の導電部材が配置されている。そして、単電池群の端部の単電池には、第１の導電部材および第２の導電部材を介して電流が供給される。
【０００８】
このような構成において、積層状態の単電池群が膨張した場合には、押しゴマが、第１および第２の導電部材の方向へ移動し、第１の導電部材の貫通穴を介して、第２の導電部材を押すことになる。これにより、第２の導電部材が第１の導電部材から離れ、単電池群への電流供給経路が遮断されるようになっている。
【０００９】
また、特許文献２に開示されている二次電池モジュールでは、電池の構造は特許文献１のものと同様であるものの、電流供給経路を遮断するために、押しゴマの移動によってリード板を破断させる構成となっている。
【００１０】
具体的には、単電池群の一方側の端面には受圧板が配置され、この受圧板に対する単電池群側とは反対側には、押しゴマ、リード板および支持部材が配置されている。リード板は板幅が細くなった脆弱部を有し、脆弱部の一方側に押しゴマが配置され、他方側に支持部材が配置されている。そして、単電池群の端部の単電池には、リード板を介して電流が供給される。
【００１１】
このような構成において、過充電に伴って積層状態の単電池群が膨張した場合には、押しゴマがリード板を押し、リード板が脆弱部から破断することにより、単電池群への電流供給経路が遮断されるようになっている。
【先行技術文献】
【特許文献】
【００１２】
【特許文献１】特開２００８−１５３２０３号公報（２００８年７月３日公開）
【特許文献２】特開２００８−１５３２０４号公報（２００８年７月３日公開）
【発明の概要】
【発明が解決しようとする課題】
【００１３】
特許文献１および２の構成では、過充電により電池が膨張することを利用して電池への電流供給経路を遮断し、さらなる電池の過充電を防止できるようになっている。しかしながら、特許文献１および２の構成では、電流供給経路を遮断するための多数の部品を含む専用の構成、すなわち受圧板、押しゴマ、第１の導電部材および第２の導電部材、または受圧板、押しゴマ、リード板および支持部材が必要となっている。このため、二次電池モジュールの構成が複雑かつ高コストになっている。
【００１４】
また、積層状態の単電池群の膨張によって、単電池群への電流供給経路を遮断する構成であるため、単電池群の特定の単電池のみが特に膨張した場合など、過充電に伴う個々の電池の膨張に対応して電流供給経路を確実に遮断することが難しくなっている。
【００１５】
また、電池の膨張は、過充電によるものばかりでなく、電池内において異常により内部短絡が発生し、電池内部が発熱することによっても発生することが考えられる。
【００１６】
したがって、本発明は、少ない部品点数による単純かつ低コストの構成にて、電池の膨張に対応して電流供給経路を確実に遮断することができる非水系二次電池を使用した電源装置および電源装置の提供を目的としている。
【課題を解決するための手段】
【００１７】
上記の課題を解決するために、本発明の電源装置は、非水系二次電池を備え、前記非水系二次電池の電池端子と接続対象物の接続端子とが導電性接続部材によって接続されている電源装置において、前記導電性接続部材は、前記非水系二次電池の内部圧力の上昇によって生じた変形により引張り力を受ける状態に配置され、前記導電性接続部材には、前記引張り力を受けることにより、前記電池端子と前記接続端子との間にて断線状態となる接続遮断構造部が形成されていることを特徴としている。
【００１８】
上記の構成によれば、導電性接続部材は、非水系二次電池の内部圧力の上昇によって生じた変形により引張り力を受ける状態に配置される。また、導電性接続部材には、前記引張り力を受けることにより、電池端子と接続端子との間にて断線状態となる接続遮断構造部が形成されている。したがって、導電性接続部材は、非水系二次電池において例えば過充電が生じること、あるいは内部短絡が発生して電池内部が発熱すること等により、内部圧力が上昇して変形が生じた場合に、その変形により引張り力を受けて、接続遮断構造部において断線状態となる。
【００１９】
ここで、導電性接続部材は電源装置において本来的に必要なものであり、その導電性接続部材に接続遮断構造部を形成したものとなっている。これにより、少ない部品点数による単純かつ低コストの構成にて、例えば過充電や内部短絡に起因した電池内部の発熱による非水系二次電池の膨張に対応して電流供給経路を確実に遮断することができる。
【００２０】
上記の電源装置は、並べて配置された複数の前記非水系二次電池を備え、これら複数の非水系二次電池の並び方向が前記引張り力の方向となっており、かつ前記複数の非水系二次電池が第１の側において前記導電性接続部材によって直列接続され、前記複数の非水系二次電池に対する前記第１の側とは反対の第２の側には、前記複数の非水系二次電池の間隔が広がるのを阻止する移動阻止部材が設けられている構成としてもよい。
【００２１】
上記の構成によれば、複数の非水系二次電池の並び方向が前記引張り力の方向となっており、かつ複数の非水系二次電池が第１の側において導電性接続部材によって直列接続されている。また、複数の非水系二次電池に対する第１の側とは反対の第２の側では、複数の非水系二次電池の間隔が広がるのが移動阻止部材によって阻止される。
【００２２】
したがって、非水系二次電池の内部圧力の上昇によって生じた変形による引張り力を、効率よく導電性接続部材に作用させることができる。これにより、非水系二次電池の膨張に対応して、さらに確実に電流供給経路を遮断することができる。
【００２３】
上記の電源装置において、前記複数の非水系二次電池は、上下方向に並べて配置されている構成としてもよい。
【００２４】
本発明の構成は、複数の非水系二次電池が上下方向に並べて配置されている電源装置に対しても適用することができる。
【００２５】
上記の電源装置において、前記複数の非水系二次電池は、左右方向に並べて配置されている構成としてもよい。
【００２６】
本発明の構成は、複数の非水系二次電池が左右方向に並べて配置されている電源装置に対しても適用することができる。
【００２７】
上記の電源装置において、前記非水系二次電池は、電極群を収容した電池缶を備え、前記電池缶における前記引張り力の方向と交差する１つの面は、相対的に機械的強度が小さく変形し易い低強度面となっている構成としてもよい。
【００２８】
上記の構成によれば、非水系二次電池の電池缶における前記引張り力の方向と交差する１つの面は、相対的に機械的強度が小さく変形し易い低強度面となっている。したがって、非水系二次電池の電池缶は、内部圧力が上昇した場合に、低強度面が効率よく変形する。これにより、非水系二次電池の膨張に対応した電流供給経路の遮断機能の応答性を高めることができる。
【００２９】
上記の電源装置において、前記導電性接続部材には、前記導電性接続部材が前記断線状態となった場合に、前記接続遮断構造部を覆う絶縁性被覆部材が設けられている構成としてもよい。
【００３０】
上記の構成によれば、導電性接続部材が断線状態となった場合に、接続遮断構造部が絶縁性被覆部材によって覆われる。これにより、導電性接続部材が断線状態となった場合に、接続遮断構造部が他の部材と接触して、他の部材との間にショートを生じる事態を防止
することができる。
【００３１】
上記の電源装置において、前記導電性接続部材は、前記接続遮断構造部として、前記張り力の方向に分離可能な第１部材と第２部材とを備えている構成としてもよい。
【００３２】
上記の構成によれば、導電性接続部材は、非水系二次電池の内部圧力の上昇によって生じた変形により引張り力を受けると、第１部材と第２部材とが分離して断線状態となる。これにより、少ない部品点数による単純かつ低コストの構成にて、非水系二次電池の膨張に対応して電流供給経路を確実に遮断することができる。
【００３３】
上記の電源装置において、前記導電性接続部材には、前記接続遮断構造部として、前記引張り力に対する機械的強度が相対的に小さく破断し易くなっている低強度部が形成されている構成としてもよい。
【００３４】
上記の構成によれば、導電性接続部材は、非水系二次電池の内部圧力の上昇によって生じた変形により引張り力を受けると、低強度部が破断して断線状態となる。これにより、少ない部品点数による単純かつ低コストの構成にて、非水系二次電池の膨張に対応して電流供給経路を確実に遮断することができる。
【００３５】
上記の電源装置において、前記導電性接続部材の一方の端部には、他方の端部よりも前記引張り力により接続対象の端子との接続が外れ易くなっている前記接続遮断構造部が形成されている構成としてもよい。
【００３６】
上記の構成によれば、導電性接続部材は、非水系二次電池の内部圧力の上昇によって生じた変形により引張り力を受けると、一方の端部の接続遮断構造部が接続対象の端子から外れて断線状態となる。これにより、少ない部品点数による単純かつ低コストの構成にて、非水系二次電池の膨張に対応して電流供給経路を確実に遮断することができる。
【発明の効果】
【００３７】
以上のように、本発明の構成によれば、導電性接続部材は電源装置において本来的に必要なものであり、その導電性接続部材に接続遮断構造部を形成したものとなっている。これにより、少ない部品点数による単純かつ低コストの構成にて、例えば過充電や内部短絡に起因した電池内部の発熱による非水系二次電池の膨張に対応して電流供給経路を確実に遮断することができる。
【図面の簡単な説明】
【００３８】
【図１】本実施の形態の電源装置に使用される非水系二次電池の一例を示す縦断面図である。
【図２】図１に示した非水系二次電池の分解斜視図である。
【図３】図１に示した非水系二次電池における電極群の構成の一例を詳細に示す縦断面図である。
【図４】図１に示した非水系二次電池を２個備えた電源装置を示す正面図である。
【図５】図４に示した電源装置における非水系二次電池の過充電の初期状態を示す正面図である。
【図６】図４に示した電源装置における非水系二次電池の過充電の進行期の状態を示す正面図である。
【図７】図４に示した電源装置に使用される単体の非水系二次電池の過充電により蓋部材が膨れた状態を示す正面図である。
【図８】図４に示した電源装置における、第１の非水系二次電池の蓋部材の膨れ量Ｄと、電源装置の電流経路遮断のための第１の非水系二次電池と第２の非水系二次電池との引離し量との関係を示すグラフである。
【図９】図４に示した電源装置の非水系二次電池における電池缶の中央部の膨れ量と過充電開始からの経過時間との関係を示すグラフである。
【図１０】図４に示した導電性接続部材の構造を詳細に示した正面図である。
【図１１】図１０に示した導電性接続部材の他の例を示す正面図である。
【図１２】図１０に示した導電性接続部材のさらに他の例を示す正面図である。
【図１３】図１０に示した導電性接続部材のさらに他の例を示す正面図である。
【図１４】本発明の他の本実施の形態の電源装置に使用される非水系二次電池を示す斜視図である。
【図１５】図１４に示した非水系二次電池において、過充電となって内部圧力が上昇した場合に、電池缶の側面が膨らんだ状態を示す斜視図である。
【図１６】図１４に示した非水系二次電池を２個備えた電源装置を示す正面図である。
【図１７】図１６に示した電源装置における非水系二次電池の過充電の進行期の状態を示す正面図である。
【図１８】図１４に示した４個の非水系二次電池を備える電源装置を示す正面図である。
【発明を実施するための形態】
【００３９】
〔実施の形態１〕
本発明の実施の形態を図面に基づいて以下に説明する。
図１は本実施の形態の電源装置に使用される非水系二次電池の一例を示す縦断面図である。図２は、図１に示した非水系二次電池の分解斜視図である。
【００４０】
図１および図２に示すように、本実施の形態の電源装置に使用される非水系二次電池１は、例えば複数の電極が積層された電極群１２を有する積層型のリチウムイオン二次電池である。なお、非水系二次電池１は、リチウム二イオン次電池に限定されず、また積層型にも限定されない。
【００４１】
なお、以下の説明では、一例として、非水系二次電池１は、過充電が原因となって内部圧力が上昇する場合について説明している。しかしながら、非水系二次電池１の内部圧力の上昇は、過充電となった場合ばかりでなく、例えば異常により内部短絡が発生し、電池内部が発熱することによっても発生する。本実施の形態の非水系二次電池１は、内部圧力の上昇原因を問わず、内部圧力の上昇によって変形した場合に、その変形に対応して、電流供給経路を適切に遮断することができるものである。
【００４２】
本実施の形態において、非水系二次電池１は、横型であり、横方向に長い横長形状を有し、長手方向の左右の面に電池端子１６を有している。この非水系二次電池１は、電池缶１１の内部に電極群１２を収容し、電解液を充填した構成である。なお、電極群１２は電池缶１１の内部において、何らかの固定部材（図示せず）より固定されていてもよい。
【００４３】
電池缶１１は、例えば金属板のプレス加工によって形成され、容器状ケース１３と蓋部材１４とを有する。電池缶１１の材質は、鉄、ニッケルメッキされた鉄、ステンレススチールあるいはアルミニウムなどである。
【００４４】
容器状ケース１３は、縦横の寸法よりも高さが低く、上面が開口した概略直方体形状である。蓋部材１４は容器状ケース１３の上面に蓋をするものである。電池缶１１の材質は金属材料に限定されず、適当な強度を有するものであればよい。
【００４５】
容器状ケース１３は上端部の周縁部に鍔部１５を有し、電池缶１１は、容器状ケース１３の内部に電極群１２等を収容した状態にて、容器状ケース１３の鍔部１５と蓋部材１４
とを例えばレーザ溶接することにより形成される。本実施の形態において、容器状ケース１３の４面の側壁部は、上面の開口面積が大きくなるように、傾斜した形状となっている。なお、側壁部は、直立状態であってもよい。
【００４６】
蓋部材１４は、厚さが容器状ケース１３よりも薄い板状の部材である。これにより、容器状ケース１３よりも強度が小さく変形し易い構造になっている。
【００４７】
なお、蓋部材１４は、複数の非水系二次電池１の積み重ねを容易にするために、容器状ケース１３の鍔部１５と当接する領域よりも内側の領域が僅かに凹んだ形状であってもよい。蓋部材１４をこのような形状とする場合には、図１に示したように、容器状ケース１３は、側壁を傾斜した形状とし、底面が蓋部材１４の凹部に嵌まり込むようにすることが、非水系二次電池１を積み重ねた状態での安定性を高める上において有効である。
【００４８】
電池缶１１の容器状ケース１３における長手方向側の両側壁部には、それぞれ、電池端子１６が設けられている。これら電池端子１６は、容器状ケース１３とは絶縁された状態で、容器状ケース１３の側壁部を貫通している。２個の電池端子１６のうちの一方は正極の電池端子１６であり、他方は負極の電池端子１６である。
【００４９】
各電池端子１６における容器状ケース１３の内部側の端部は、それぞれ集電端子１７と接続されている。正極の電池端子１６と接続されている集電端子１７は、電極群１２における各正極板の集電タブと接続され、負極の電池端子１６と接続されている集電端子１７は、電極群１２における各負極板の集電タブと接続されている。
【００５０】
電池缶１１に収容されている電極群１２は、例えば図３に示す構成となっている。図３は、電極群１２の構成の一例を詳細に示す非水系二次電池１の縦断面図である。
【００５１】
図３に示すように、電極群１２は、正極板２１と負極板２２とがセパレータ２３を介して交互に複数層に積層された構成である。
【００５２】
正極板２１は、例えば、アルミニウム箔からなる正極集電体２１ｂの両面に正極活物質層２１ａが形成されたものである。負極板２２は、例えば、銅箔からなる負極集電体２２ｂの両面に負極活物質層２２ａが形成されたものである。セパレータ２３は、正極板２１と負極板２２とを絶縁するものである。このセパレータ２３は、電極群１２における最上部の電極（負極板２２）の上、および最下部の電極（負極板２２）の下にも配置されている。
【００５３】
電池缶１１内に充填される電解液としては、有機電解液を用いることが好ましい。具体的には、有機電解液の有機溶媒として、エチレンカーボネート、プロピレンカーボネート、ブチレンカーボネート、ジエチルカーボネート、ジメチルカーボネート、メチルエチルカーボネート、γ―ブチロラクトンなどのエステル類、テトラヒドロフラン、２−メチルテトラヒドロフラン、ジオキサン、ジオキソラン、ジエチルエーテル、ジメトキシエタン、ジエトキシエタン、メトキシエトキシエタンなどのエーテル類、さらに、ジメチルスルホキシド、スルホラン、メチルスルホラン、アセトニトリル、ギ酸メチル、酢酸メチルなどが使用可能である。なお、これらの有機溶媒は、単独で使用してもよいし、２種類以上を混合して使用してもよい。
【００５４】
次に、上記の非水系二次電池１を使用した本実施の形態の電源装置２について説明する。図４は上記の非水系二次電池１を２個備えた電源装置２を示す正面図である。
【００５５】
図４に示すように、電源装置２は、２個の非水系二次電池１を備え、これら非水系二次
電池１が上下に積み重ねられている。なお、電源装置２が備える非水系二次電池１の数は、２個に限定されず、３個以上であってもよい。
【００５６】
下側の第１の非水系二次電池１と上側の第２の非水系二次電池１とは、導電性接続部材３１によって直列に接続されている。したがって、第１の非水系二次電池１と第２の非水系二次電池１とは、上下に対向する電池端子１６の極性が逆になるように、配置されている。
【００５７】
導電性接続部材３１は、例えば断面が円形の棒状に形成され、第１部材（接続遮断構造部）３２と第２部材（接続遮断構造部）３３とが凹凸構造により嵌合されたものである。したがって、第１部材３２と第２部材３３とは、第１および第２の非水系二次電池１同士が離れる方向、すなわち上下方向に分離可能である。
【００５８】
第１および第２の非水系二次電池１における、導電性接続部材３１によって接続されていない側の上下の電池端子１６、すなわち入出力側の電池端子１６同士は、絶縁性連結部材３４によって、互いの間隔が広がらないように、機械的に連結されている。絶縁性連結部材３４の材質としては、絶縁性を有し、強度に優れているセラミックが好ましい。
【００５９】
入出力側の電池端子１６は、外部装置に対する放電および充電のための外部端子３５と接続されている。
【００６０】
絶縁性連結部材３４の配置位置は、電池缶１１に近過ぎる場合、蓋部材１４の膨らみを抑制してしまう可能性がある。すなわち、非水系二次電池１の過充電による蓋部材１４の膨らみに対して円滑に応答するには、力点（蓋部材１４の膨らみ位置）に対して支点（絶縁性連結部材３４の取付け位置）が適度に離れていることが好ましい。このために、例えば電池端子１６を長くして、支点と力点の適度な距離を確保できるようにしてもよい。
【００６１】
本実施の形態において、蓋部材１４は、低強度面を有するものであり、導電性接続部材３１に作用する引張り力の方向と交差するように配置されている。
【００６２】
上記の構成において、電源装置２が過充電となった場合の動作について説明する。
ここで、先に示した図４は、非水系二次電池１が過充電となっていない状態を示している。また、図５は、非水系二次電池１の過充電の初期の状態を示し、図６は、非水系二次電池１の過充電の進行期の状態を示す。また、図７は、過充電により蓋部材１４が膨れた状態の非水系二次電池１の単体を示す正面図である。
【００６３】
電源装置２は、充電時において、非水系二次電池１が過充電となっていない場合（平常時）には、図４に示すように、導電性接続部材３１により、下側の第１の非水系二次電池１の電池端子１６と上側の第２の非水系二次電池１の電池端子１６との導通が確保され、両非水系二次電池１の接続状態が維持される。
【００６４】
一方、非水系二次電池１が過充電となった場合（過充電初期）には、電池缶１１の内部の電解液が膨張し、これによって電池缶１１の内部圧力が上昇する。電池缶１１の内部圧力が上昇すると、図５に示すように、電池缶１１のうち、容器状ケース１３に対して強度が小さくなっている蓋部材１４が上方へ膨らみ始める。したがって、下側の第１の非水系二次電池１の蓋部材１４が膨らむことにより、上側の第２の非水系二次電池１が上方へ押し上げられる。
【００６５】
第２の非水系二次電池１の電池端子１６は、第２の非水系二次電池１が上方へ押し上げられることに伴って、第１の非水系二次電池１の電池端子１６に対して上方へ離れていく
。これにより、導電性接続部材３１は、第１部材３２と第２部材３３とが離れていく。
【００６６】
その後、さらに過充電が進行した場合（過充電進行期）には、図６に示すように、第１の非水系二次電池１における蓋部材１４の膨らみが大きくなって、第２の非水系二次電池１の上昇が大きくなり、第１部材３２と第２部材３３とが完全に分離する。この結果、非水系二次電池１への電流経路が遮断され、非水系二次電池１におけるそれ以上の過充電状態の進行が防止される。
【００６７】
なお、図５に示したＬ１は、図５に示した状態での、電池缶１１の外端面（絶縁性連結部材３４の配置側の容器状ケース１３の側壁外面の最上部の位置）から、第１の非水系二次電池１の蓋部材１４の膨らみと第２の非水系二次電池１の底面との接触位置までの距離である。また、図６に示したＬ０は、電池缶１１の上記した外端面から電池缶１１の中央部（電池缶１１の上記した外端面から反対側の外端面までの中間点）までの距離である。
【００６８】
また、図５および図６では、便宜上、第１の非水系二次電池１の蓋部材１４のみが膨らんでいるように記載している。しかしながら、第２の非水系二次電池１が過充電となった場合には、第２の非水系二次電池１の蓋部材１４も同様に膨らむことになる。
【００６９】
また、図４に示した電源装置２において、第１の非水系二次電池１の蓋部材１４の膨れ量Ｄ（図７参照）と、電源装置２の電流経路遮断のための第１の非水系二次電池１と第２の非水系二次電池１との引離し量との関係を示すと、図８のようになる。
【００７０】
なお、上記した、第１の非水系二次電池１と第２の非水系二次電池１との引離し量は、電池缶１１の上記した外端面からの距離に応じた、膨張していない場合の第１の非水系二次電池１の上面と第２の非水系二次電池１の下面との距離（離れ量）である。
【００７１】
また、図９には、電池缶１１の中央部の膨れ量と過充電開始からの経過時間との関係を示す。図９に示す例では、電池缶１１の蓋部材１４が４ｍｍ〜８ｍｍ膨らむ範囲において、導電性接続部材３１の分断が生じるように設定されている。
【００７２】
また、上記の非水系二次電池１の例では、電池缶１１の容器状ケース１３と蓋部材１４とを同一の材料にて形成し、蓋部材１４の厚さを薄くすることにより、蓋部材１４の機械的強度を相対的に小さくしている。この場合、蓋部材１４の板厚は容器状ケース１３の板厚の半分程度としてもよい。
【００７３】
蓋部材１４の機械的強度を容器状ケース１３の機械的強度よりも小さくする方法は、これに限定されない。例えば、蓋部材１４を容器状ケース１３よりも機械的強度が小さく、変形し易い、容器状ケース１３とは別の材料にて形成してもよい。この場合、蓋部材１４の機械的強度（例えば固さ）は容器状ケース１３の機械的強度（例えば固さ）の半分程度としてもよい。
【００７４】
また、電源装置２を上下の非水系二次電池１間に所定の間隔をおいて積み重ねる方式とした場合には、過充電により蓋部材１４が膨張した場合の電流経路遮断機能の応答性を良好にするために、蓋部材１４の上面の一部に凸部を設けてもよい。このように、蓋部材１４の上面の一部に凸部を設けた構成では、凸部の形成位置により、支点（絶縁性連結部材３４の位置）に対する力点を所望の位置に設定して、電流経路遮断機能の応答性を調整することができる。
【００７５】
また、蓋部材１４は全体的に均一に変形する構成に限定されることなく、例えば板の厚さを部分的に変更することにより、変形し易い位置（機械的強度が小さい位置）を適宜調
整するようにしてもよい。例えば、変形し易い位置を絶縁性連結部材３４寄りの位置に設定すれば、作用点が絶縁性連結部材３４寄りの位置に移動するので、蓋部材１４の小さい膨張量により導電性接続部材３１の分断を生じさせることができる。
【００７６】
次に、電源装置２において使用できる導電性接続部材３１の例について説明する。
図１０は、図４に示した導電性接続部材３１における構造を詳細に示した正面図である。
【００７７】
導電性接続部材３１は、前述のように、例えば断面が円形の棒状に形成され、第１部材３２と第２部材３３とが凹凸構造により嵌合されたものである。第１部材３２と第２部材３３とは、軸方向、すなわち第１および第２の非水系二次電池１同士が離れる方向に分離可能である。
【００７８】
具体的には、第１部材３２は、上端部の中央部に小径棒状の凸部３２ａを有し、第２部材３３は、第１部材３２の凸部３２ａが嵌合される凹部３３ａを有する。なお、第１部材３２と第２部材３３との位置関係は、上下逆であってもよい。また、第１部材３２と第２部材３３との嵌合状態から完全に分離するまでの軸方向への離間距離は、電源装置２への通電を遮断すべき状態での、第１の非水系二次電池１の蓋部材１４の膨張に伴う第１の非水系二次電池１の電池端子１６と第２の非水系二次電池１の電池端子１６との離間距離に応じて設定すればよい。
【００７９】
第１部材３２の外側端部（下端部）は、下側の第１の非水系二次電池１の電池端子１６に電気的に接続され、第２部材３３の外側端部（上端部）は、上側の第２の非水系二次電池１の電池端子１６に電気的に接続される。
【００８０】
なお、図１０では、第１部材３２および第２部材３３が電池端子１６を貫通して電池端子１６に接続されている場合を示している。しかしながら、第１部材３２および第２部材３３と電池端子１６との接続形態は、これに限定されず、電池端子１６が第１部材３２および第２部材３３の外側端部を貫通していてもよい。すなわち、第１部材３２および第２部材３３は、それぞれ電池端子１６と電気的に接続され、かつそれぞれ電池端子１６に機械的に連結されていればよい。
【００８１】
第１部材３２および第２部材３３は、電池端子１６との接続部の近傍を除く外周面が、それぞれ個別の絶縁性被覆部材４１，４２により覆われている。絶縁性被覆部材４１，４２は、それぞれ第１部材３２と第２部材３３との分離側の端部側において互いに重なるようになっている。また、第１部材３２と第２部材３３との分離側の端部よりも長い範囲まで延びている。
【００８２】
導電性接続部材３１では、第１および第２の非水系二次電池１同士が離れる方向の引張り力を受けた場合に、第１部材３２と第２部材３３とが分離する。これにより、直列接続された第１の非水系二次電池１と第２の非水系二次電池１との電流経路を遮断することができる。また、絶縁性被覆部材４１，４２が設けられていることにより、第１部材３２と第２部材３３とが分離した後に、第１部材３２または第２部材３３が他の部材と接触して、他の部材との間にショートを生じる事態が防止される。
【００８３】
図１１は、図１０に示した導電性接続部材３１の他の例を示す正面図である。
図１１に示す導電性接続部材５１は、中央部付近に、端部側の部分よりも強度が小さく、引張り力を受けて破断し易い低強度部（接続遮断構造部）５２を有する。導電性接続部材５１は、板状あるいは棒状に形成されている。電池端子１６に対する導電性接続部材５１の接続形態は、導電性接続部材３１の場合と同様である。
【００８４】
低強度部５２は、導電性接続部材５１が板状である場合には例えば板の幅を狭くすることにより、導電性接続部材５１が棒状である場合には例えば径を小さくすることにより、形成されている。その他、低強度部５２は、相対的に低強度の構造部分、あるいは低強度の材料にて形成された部分を導電性接続部材５１の途中に介在させたものであってもよい。
【００８５】
また、導電性接続部材５１において、絶縁性被覆部材４１，４２は、それぞれほぼ低強度部５２を覆う位置まで延びている。
【００８６】
導電性接続部材５１では、第１および第２の非水系二次電池１同士が離れる方向の引張り力を受けた場合に、低強度部５２において分断される。これにより、直列接続された第１の非水系二次電池１と第２の非水系二次電池１との電流経路を遮断することができる。また、絶縁性被覆部材４１，４２が設けられていることにより、分断された導電性接続部材５１が他の部材と接触して、他の部材との間にショートを生じる事態が防止される。
【００８７】
図１２は、図１０に示した導電性接続部材３１のさらに他の例を示す正面図である。
図１２に示す導電性接続部材６１は、凸形状の電池端子１６に対して導電性接続部材６１の端部を嵌め込むことにより、電池端子１６に対して電気的に接続され、かつ機械的に連結されるようになっている。
【００８８】
このために、導電性接続部材６１の端部には、凸形状の電池端子１６を嵌合するための第１および第２電池端子嵌合用凹部６２，６３が形成されている。ただし、第１の非水系二次電池１の電池端子１６または第２の非水系二次電池１の電池端子１６は、これら両電池端子１６同士が対向する側の面とは反対側の面が、対向する電池端子１６の方向へ傾斜した傾斜面１６ａを有し、先細り形状となっている。これに対応して、傾斜面１６ａを有する電池端子１６を嵌合する第１電池端子嵌合用凹部（接続遮断構造部）６２には、傾斜面６２ａが形成されている。
【００８９】
また、導電性接続部材６１に設けられる絶縁性被覆部材４３は、第１電池端子嵌合用凹部６２を有する端部の全面を覆い、この端部から第２電池端子嵌合用凹部６３を有する端部付近まで延びている。
【００９０】
なお、導電性接続部材６１の形状は、第１および第２電池端子嵌合用凹部６２，６３として穴が形成され、その穴によって電池端子１６の周囲を囲む形状であってもよい。あるいは、第１および第２電池端子嵌合用凹部６２，６３として切欠き状の凹部が形成され、その凹部によって、電池端子１６の周囲の一部を囲む形状であってもよい。
【００９１】
導電性接続部材６１では、第１および第２の非水系二次電池１同士が離れる方向の引張り力を受けた場合に、第１電池端子嵌合用凹部６２が傾斜面６２ａを有し、第１電池端子嵌合用凹部６２に嵌合している電池端子１６が傾斜面１６ａを有することにより、第１電池端子嵌合用凹部６２とその側の電池端子１６との嵌合が外れる。これにより、直列接続された第１の非水系二次電池１と第２の非水系二次電池１との電流経路を遮断することができる。また、絶縁性被覆部材４３が設けられていることにより、電池端子１６から外れた導電性接続部材６１の端部が他の部材と接触して、他の部材との間にショートを生じる事態が防止される。
【００９２】
図１３は、図１０に示した導電性接続部材３１のさらに他の例を示す正面図である。
図１３に示す導電性接続部材７１は、電池端子１６に形成された貫通孔１６ｂに対して、導電性接続部材７１の端部を挿入して嵌め込むことにより、電池端子１６に対して電気的に接続され、かつ機械的に連結されるようになっている。
【００９３】
このために、導電性接続部材７１の端部には、導電性接続部材７１の胴体部７４よりも小径であり、電池端子１６の貫通孔１６ｂに挿入するための第１および第２電池端子嵌合用凸部７２，７３が形成されている。
【００９４】
ただし、第１電池端子嵌合用凸部（接続遮断構造部）７２は、軸方向、すなわち第１および第２の非水系二次電池１同士が離れる方向の引張り力が加わることにより、電池端子１６の貫通孔１６ｂから抜脱されるようになっている。具体的には、第１電池端子嵌合用凸部７２は、例えば軸方向の中央部が膨らんだ形状、すなわち中央部の径が両端の径よりも大きくなるように形成されている。さらに、上記中央部は、例えばスリットが形成されることにより、弾性を有し、径が変化できるようになっている。
【００９５】
一方、第２電池端子嵌合用凸部７３は、軸方向の引張り力を受けることによっても電池端子１６の貫通孔１６ｂから抜脱されないように、貫通孔１６ｂに対して強固に嵌合されている。
【００９６】
また、導電性接続部材７１に設けられる絶縁性被覆部材４４は、導電性接続部材７１の胴体部７４における第２電池端子嵌合用凸部７３寄りの位置から、第１電池端子嵌合用凸部７２の先端部までを覆うように延びている。ただし、絶縁性被覆部材４４において、第１電池端子嵌合用凸部７２を覆う部分は、例えば伸縮可能な蛇腹形状部４４ａとなっている。したがって、蛇腹形状部４４ａは、第１電池端子嵌合用凸部７２が電池端子１６の貫通孔１６ｂに挿入された状態では、縮んだ状態となって第１電池端子嵌合用凸部７２を露出させる。一方、第１電池端子嵌合用凸部７２が電池端子１６の貫通孔１６ｂから抜脱された状態では、伸びた状態となって第１電池端子嵌合用凸部７２を被覆する。
【００９７】
導導電性接続部材７１では、第１および第２の非水系二次電池１同士が離れる方向の引張り力を受けた場合に、第１電池端子嵌合用凸部７２が電池端子１６の貫通孔１６ｂから抜脱される。これにより、直列接続された第１の非水系二次電池１と第２の非水系二次電池１との電流経路を遮断することができる。また、絶縁性被覆部材４４が設けられていることにより、電池端子１６から外れた導電性接続部材７１の端部である第１電池端子嵌合用凸部７２が他の部材と接触して、他の部材との間にショートを生じる事態が防止される。
【００９８】
上記の導電性接続部材３１，５１，６１，７１については、当然ながら低抵抗材料によって形成されることが好ましい。また、上記の導電性接続部材３１，６１，７１の材質としては、特に、タフピッチ銅あるいはベリリウム銅合金などが好ましい。
【００９９】
上記の例では、電源装置２が複数の非水系二次電池１を備えた場合について説明した。しかしながら、電源装置２は１個の非水系二次電池１を備えた構成であってもよい。この場合には、非水系二次電池１（第１の非水系二次電池１）の上に第２の非水系二次電池１に代わる代用部材を配置すればよい。この代用部材は電池端子１６に相当する代用端子を有し、この代用端子は導電性接続部材３１あるいはその他の導電性接続部材によって非水系二次電池１の電池端子１６と接続される。また、導電性接続部材３１が接続されている代用端子とは反対側の代用端子は、非水系二次電池１の電池端子１６と絶縁性連結部材３４あるいはその代用物によって連結される。また、上記の両代用端子同士は、電気的に接続される。なお、上記の代用部材は、例えばダミーの非水系二次電池であってもよい。
【０１００】
〔実施の形態２〕
本発明の他の実施の形態を図面に基づいて以下に説明する。
図１４は、本発明の他の形態の電源装置に使用される非水系二次電池を示す斜視図である
。
【０１０１】
図１４に示すように、本実施の形態の電源装置に使用される非水系二次電池１０１は、縦型であり、縦横の寸法よりも奥行きの寸法が短い形状を有している。したがって、非水系二次電池１０１の筐体を構成する電池缶１１１は、上記の形状を有し、上面に横方向に並ぶように正負の電池端子１６が設けられている。
【０１０２】
非水系二次電池１０１の内部の構造は、図１に示した電極群１２を電池缶１１１の内部において縦方向に配置し、正極板２１および負極板２２がそれぞれ上面の電池端子１６に接続されるようになっている点以外、前述した非水系二次電池１と同様である。
【０１０３】
電池缶１１１は、例えば金属板のプレス加工によって形成され、材質は電池缶１１の場合と同様のものである。
【０１０４】
非水系二次電池１０１では、過充電となって内部圧力が上昇した場合に、図１５に示すように、電池缶１１１の側面が膨らむことになる。図１５は、非水系二次電池１０１において、過充電となって内部圧力が上昇した場合に、電池缶１１１の側面が膨らんだ状態を示す斜視図である。
【０１０５】
なお、図１５に示した例では、非水系二次電池１０１の内部圧力の上昇によって、電池缶１１１の面積が最大となっている側面（以下、最大面積側面と称する）のうち、１個の非水系二次電池のみが膨らんでいる。これは、電池缶１１１が備える２つの最大面積側面のうち、１つの最大面積側面の機械的強度を小さくして低強度面１１１ａとしたことによる。
【０１０６】
低強度面１１１ａは、電池缶１１１において、例えば低強度面１１１ａを構成する部分の板厚を薄くすることによって形成することができる。あるいは低強度面１１１ａを構成する部分を相対的に機械的強度が小さく変形し易い材料を使用して形成することができる。
【０１０７】
次に、上記の非水系二次電池１０１を使用した本実施の形態の電源装置１０２について説明する。図１６は上記の非水系二次電池１０１を２個備えた電源装置１０２を示す正面図である。
【０１０８】
図１６に示すように、電源装置１０２は２個の非水系二次電池１０１を備え、これら非水系二次電池１０１は最大面積側面同士が対向するように配置されている。また、ここでは、電池缶１１１が低強度面１１１ａを有し、各非水系二次電池１０１は低強度面１１１ａが同じ方向を向くように配置されているものとする。したがって、低強度面１１１ａは、導電性接続部材３１に作用する引張り力の方向と交差するように配置されている。なお、電源装置１０２が備える非水系二次電池１０１の数は、２個に限定されず、３個以上であってもよい。
【０１０９】
図１６において、左側の第１の非水系二次電池１０１と右側の第２の非水系二次電池１０２とは、前述した例えば導電性接続部材３１によって直列に接続されている。したがって、第１の非水系二次電池１と第２の非水系二次電池１とは、左右に対向する電池端子１６の極性が逆になるように配置されている。
【０１１０】
導電性接続部材３１は、非水系二次電池１０１が縦型であることから横方向配置となっている。なお、導電性接続部材３１と電池端子１６との接続形態は、縦方向配置と横方向配置とが異なる以外、前述した場合と同様である。また、導電性接続部材３１に代えて、
前述した他の導電性接続部材５１，６１あるいは７１を使用してもよい。
【０１１１】
また、２個の非水系二次電池１０１の下には、板状の電池移動阻止部材１０３が設けられている。この電池移動阻止部材１０３は、２個の非水系二次電池１０１が互いに離間する方向へ移動するのを阻止するものである。電池移動阻止部材１０３は、非水系二次電池１０１が載置される基体部１０３ａと移動阻止部１０３ｂとを有している。移動阻止部１０３ｂは、基体部１０３ａの、２個の非水系二次電池１０１の並び方向における両端部において、基体部１０３ａから立ち上がるように形成されている。
【０１１２】
上記の構成において、電源装置１０２が過充電となった場合の動作について説明する。
【０１１３】
電源装置１０２は、充電時において、非水系二次電池１０１が過充電となっていない場合（平常時）には、図１６に示すように、導電性接続部材３１により、左側の第１の非水系二次電池１０１の電池端子１６と右側の第２の非水系二次電池１０１の電池端子１６との導通が確保され、両非水系二次電池１０１の接続状態が維持される。
【０１１４】
一方、非水系二次電池１０１が過充電となった場合（過充電初期）には、電池缶１１１の内部の電解液が膨張し、これによって電池缶１１１の内部圧力が上昇する。電池缶１１１の内部圧力が上昇すると、電池缶１１１の強度が小さくなっている低強度面１１１ａが横方向へ膨らみ始める。したがって、第１の非水系二次電池１の低強度面１１１ａによって第２の非水系二次電池１０１が押されることになり、導電性接続部材３１に対して分断する方向の引張り力が加わる。
【０１１５】
その後、さらに過充電が進行した場合（過充電進行期）には、図１７に示すように、第１の非水系二次電池１０１の電池缶１１１における低強度面１１１ａの膨らみがさらに大きくなって、導電性接続部材３１が完全に分離する。この結果、非水系二次電池１０１への電流経路が遮断され、非水系二次電池１０１におけるそれ以上の過充電状態の進行が防止される。
【０１１６】
なお、図１６に示した電源装置１０２では、各非水系二次電池１０１は低強度面１１１ａが同じ方向を向くように配置されている。しかしながら、各非水系二次電池１０１は、低強度面１１１ａが対向するように配置してもよい。この場合には、電源装置１０２の過充電によって両非水系二次電池１０１の低強度面１１１ａが膨らむ場合に、過充電による電流経路の遮断の応答性を高めることができる。
【０１１７】
また、電源装置１０２では、非水系二次電池１０１は電池缶１１１に低強度面１１１ａを有する構成としている。しかしながら、非水系二次電池１０１は、電池缶１１１の２つの最大面積側面が電池缶１１１の内部圧力によって上昇し易い構成であれば、低強度面１１１ａを設けない構成であってもよい。
【０１１８】
また、電源装置１０２では、２個の非水系二次電池１０１を若干離して配置するようにしているが、２個の非水系二次電池１０１を離さずに配置するようにしてもよい。
【０１１９】
また、電池缶１１１の低強度面１１１ａは全体的に同一の機械的強度を有する構成に限定されることなく、例えば板の厚みを部分的に変更することにより、変形し易い位置（機械的強度が小さい位置）を適宜調整するようにしてもよい。例えば、変形し易い位置を低強度面１１１ａにおける上下方向の中央部よりも下方に設定してもよい。この場合には、作用点が移動阻止部１０３ｂ寄りの位置に移動するので、低強度面１１１ａの小さい膨張量により導電性接続部材３１の分断を生じさせることができる。
【０１２０】
また、非水系二次電池１０１を備えた電源装置は、３個以上の非水系二次電池１０１を備えている構成であってもよい。図１８は、例えば４個の非水系二次電池１０１を備えた電源装置１０４を示す正面図である。
【０１２１】
電源装置１０４では、４個の非水系二次電池１０１が電源装置筐体１２１に収容されている。電源装置筐体１２１において、４個の非水系二次電池１０１は、直列接続されるので、導電性接続部材３１による接続方向において、正極の電池端子１６と負極の電池端子１６とが交互に並ぶように配置されている。
【０１２２】
非水系二次電池１０１の配置において、各非水系二次電池１０１が低強度面１１１ａを有する場合、各非水系二次電池１０１は低強度面１１１ａが同じ方向を向くように配置される。あるいは、少なくとも２個の非水系二次電池１０１は、低強度面１１１ａ同士が対向するように配置される。
【０１２３】
電源装置筐体１２１は、非水系二次電池１０１の並び方向の両端部に外壁部１２２を有し、一方の外壁部１２２には電源端子（接続端子）１２３が設けられ、他方の外壁部１２２には電源端子（接続端子）１２４が設けられている。
【０１２４】
図１８に示す５個の導電性接続部材３１のうち、非水系二次電池１０１の並び方向における左端、右端および中間位置の導電性接続部材３１は、手前側の電池端子１６と接続され、左端から２番目および右端から２番目の導電性接続部材３１は、奥側の電池端子１６と接続されている。
【０１２５】
左端の導電性接続部材３１が左端の非水系二次電池１０１の正極の電池端子１６と接続されている場合、右端の導電性接続部材３１は右端の非水系二次電池１０１の負極の電池端子１６と接続される。したがって、左側の電源端子１２３は正極となり、右側の電源端子１２４は負極となる。
【０１２６】
上記構成の電源装置１０４において、非水系二次電池１０１の電池端子１６同士を接続する３個の導電性接続部材３１のいずれかは、図１６に示した電源装置１０２と同様にして分断される。すなわち、いずれかの非水系二次電池１０１の最大面積側面（例えば低強度面１１１ａ）が膨らんで隣りの非水系二次電池１０１を押す結果、導電性接続部材３１は、その非水系二次電池１０１の電池端子１６と隣りの非水系二次電池１０１の電池端子１６との間隔が広がることにより分断される。
【０１２７】
一方、非水系二次電池１０１の電池端子１６と電源端子１２３とを接続する導電性接続部材３１、および非水系二次電池１０１の電池端子１６と電源端子１２４とを接続する導電性接続部材３１、すなわち両端の導電性接続部材３１は、非水系二次電池１０１と外壁部１２２との作用によって分断される。すなわち、両端の導電性接続部材３１は、それら導電性接続部材３１が接続されている非水系二次電池１０１における外壁部１２２と対向する最大面積側面（例えば低強度面１１１ａ）が膨らんで外壁部１２２を押す結果、電池端子１６と電源端子１２３または電源端子１２４との間隔が広がることにより分断される。
【０１２８】
本実施の形態の電源装置１０２，１０４においても、複数の非水系二次電池１０１を備えた構成に限定されず、１個の非水系二次電池１０１を備えた構成であってもよい。この場合には、図１８に示した電源装置筐体１２１の構成を利用することができる。すなわち、１個の非水系二次電池１０１は、最大面積側面（例えば低強度面１１１ａ）が外壁部１２２と対向するように配置される。また、非水系二次電池１０１の例えば正極の電池端子１６は導電性接続部材３１を介して電源端子１２３と接続される。これにより、導電性接
続部材３１は、非水系二次電池１０１の最大面積側面（例えば低強度面１１１ａ）が膨らんで外壁部１２２を押す結果、電池端子１６と電源端子１２３との間隔が広がることにより分断される。
【０１２９】
なお、非水系二次電池１０１の電池缶１１１に低強度面１１１ａを形成する場合には、低強度面１１１ａの板厚を他の部分の板厚の半分程度にしてもよい。
【０１３０】
また、低強度面１１１ａを相対的に機械的強度が小さく変形し易い別の材料にて形成する場合には、低強度面１１１ａの機械的強度（例えば固さ）は低強度面１１１ａ以外の部分の機械的強度（例えば固さ）の半分程度としてもよい。
【０１３１】
また、過充電により電池缶１１１が膨張した場合の電流経路遮断機能の応答性を良好にするために、電池缶１１１における導電性接続部材３１の延伸方向に位置する側面（電池缶１１１における他の非水系二次電池１０１の電池缶１１１、あるいは外壁部１２２と対向する側面）の一部に凸部を設けてもよい。このように、電池缶１１１の上記側面の一部に凸部を設けた構成では、凸部の形成位置により、力点を所望の位置に設定して、電流経路遮断機能の応答性を調整することができる。
【０１３２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１３３】
本発明の電源装置は、電気自動車（ＥＶ）、ハイブリッド電気自動車（ＨＥＶ）用、あるいは一般家庭用の電源装置として利用可能である。
【符号の説明】
【０１３４】
１    非水系二次電池
２    電源装置
１１    電池缶
１３    容器状ケース
１４    蓋部材
１６    電池端子
１６ａ  傾斜面
１６ｂ  貫通孔
３１    導電性接続部材
３２    第１部材（接続遮断構造部）
３３    第２部材（接続遮断構造部）
３４    絶縁性連結部材
３５    外部端子
41,42   絶縁性被覆部材
43,44   絶縁性被覆部材
４４ａ  蛇腹形状部
５１    導電性接続部材
５２    低強度部（接続遮断構造部）
６１    導電性接続部材
６２    第１電池端子嵌合用凹部（接続遮断構造部）
６２ａ  傾斜面
６３    第２電池端子嵌合用凹部
７１    導電性接続部材
７２    第１電池端子嵌合用凸部（接続遮断構造部）
７３    第２電池端子嵌合用凸部
１０１    非水系二次電池
102,104   電源装置
１０３    電池移動阻止部材
１０４    電源装置
１０３ａ  基体部
１０３ｂ  移動阻止部
１１１    電池缶
１１１ａ  低強度面
１２１    電源装置筐体
１２２    外壁部
123,124   電源端子（接続端子）
【図１】
0005819758.tif 000002
【図２】
0005819758.tif 000003
【図３】
0005819758.tif 000004
【図４】
0005819758.tif 000005
【図５】
0005819758.tif 000006
【図６】
0005819758.tif 000007
【図７】
0005819758.tif 000008
【図８】
0005819758.tif 000009
【図９】
0005819758.tif 000010
【図１０】
0005819758.tif 000011
【図１１】
0005819758.tif 000012
【図１２】
0005819758.tif 000013
【図１３】
0005819758.tif 000014
【図１４】
0005819758.tif 000015
【図１５】
0005819758.tif 000016
【図１６】
0005819758.tif 000017
【図１７】
0005819758.tif 000018
【図１８】
0005819758.tif 000019